(57)【要約】【課題】メダルの補給作業を効率よく行う。【解決手段】補給扉３０は、開口部３４を閉塞した状態で、筐体１２の正面を構成する正面板４４と、正面板４４の左右両側から筐体本体１４の内部に向けて突設された左右の側板４６とを有している。補給扉３０は、開口部３４を開放した全開状態と開口部３４を閉塞した閉塞状態との間で揺動する。補給扉３０の左右の側板４６は、ガイド端４２からガイド溝４０に滑動可能に挿入されている。左右の側板４６には、それら左右の側板４６に沿って起立したメダルＭ（遊技媒体）を、側板４６から傾倒させて離間させる突起５４が設けられている。【選択図】図１１
2018029685.tif 000002
【特許請求の範囲】
【請求項１】
遊技機に併設される遊技媒体貸出機であって、
遊技媒体補給用の開口部と前記開口部を開閉する補給扉とを有する筐体を備え、
前記補給扉は、前記開口部を閉塞した状態で、前記筐体の正面を構成する正面板と、前記正面板の左右両側から前記筐体本体の内部に向けて突設された左右の側板とを有し、
前記筐体本体に前記左右の側板を収容する側部ガイド板が設けられ、
前記左右の側板に、それら左右の側板に沿って起立した遊技媒体を前記側板から離間させる突起が設けられている、
ことを特徴とする遊技媒体貸出機。
【請求項２】
前記補給扉はその下部を支点として揺動可能に設けられ、
前記正面寄りに位置する前記側部ガイド板のガイド端は、下部から上部に至るにつれて前記正面から次第に離れる傾斜縁を有し、
前記補給扉で前記開口部を閉塞した状態で、前記突起は前記傾斜縁よりも前記正面寄りに偏位した箇所に位置する、
ことを特徴とする請求項１記載の遊技媒体貸出機。
【請求項３】
前記突起は、前記補給扉の揺動方向と交差する方向に延在する細長形状に形成されている、
ことを特徴とする請求項２記載の遊技媒体貸出機。
【発明の詳細な説明】
【技術分野】
【０００１】
本発明は、遊技機に併設される遊技媒体貸出機に関する。
【背景技術】
【０００２】
従来、遊技店には、スロットマシンのような遊技機が複数並べて配置されている。
そして、各遊技機に隣接してメダル（遊技媒体）の払い出しを行なう遊技媒体貸出機が併設されている。
遊技媒体貸出機は、筐体を備え、遊技者が貨幣を貨幣投入口に投入することで、あるいは、所定のカード媒体をカード挿入口に挿入することで、筐体内部の払い出しホッパによりメダルの払い出しを行なう。
図１４に示すように、遊技機媒体貸出機の筐体１００には、払い出しホッパ１０２にメダルＭを補給するためのメダル補給用の開口部１０４と開口部１０４を開閉する補給扉１０６とが設けられている。
補給扉１０６は、開口部１０４を閉塞した状態で、筐体１００の正面を構成する正面板１０８と、正面板１０８の左右両側から筐体１００の内部に向けて突設された左右の側板１１０とを有し、筐体１００に左右の側板１１０を案内するガイド板１１２が設けられている。
【先行技術文献】
【特許文献】
【０００３】
【特許文献１】特開２００７−２３６６９４公報
【発明の概要】
【発明が解決しようとする課題】
【０００４】
このような遊技媒体貸出機では、開口部１０４を全開状態とし、開口部１０４から払い出しホッパ１０２にメダルＭを補給したのち、補給扉１０６を閉じようとする際、正面板１０８とガイド板１１２のガイド端１１２Ａとの間にメダルＭが挟まれてしまう場合があり、このような左右の側板１１０に沿って起立したメダルＭを左右の側板から開口部１０４の底部に向かって横転させないと、補給扉１０６を閉じることができず、払い出しホッパ１０２へのメダルＭの補給作業を効率よくできない。
遊技場では、多数の遊技媒体貸出機が遊技機に併設され、例えば１００台単位で遊技媒体貸出機が使用されるため、払い出しホッパ１０２へのメダルＭの補給作業に多大な手間がかかり、作業員の負担が増大する不具合いがあった。
本発明は、上記事情に鑑みなされたものであり、本発明の目的は、メダルの補給作業を効率よく行う上で有利な遊技媒体貸出機を提供することにある。
【課題を解決するための手段】
【０００５】
上記目的を達成するために、請求項１記載の発明は、遊技機に併設される遊技媒体貸出機であって、遊技媒体補給用の開口部と前記開口部を開閉する補給扉とを有する筐体を備え、前記補給扉は、前記開口部を閉塞した状態で、前記筐体の正面を構成する正面板と、前記正面板の左右両側から前記筐体本体の内部に向けて突設された左右の側板とを有し、前記筐体本体に前記左右の側板を収容する側部ガイド板が設けられ、前記左右の側板に、それら左右の側板に沿って起立した遊技媒体を前記側板から離間させる突起が設けられていることを特徴とする。
請求項２記載の発明は、前記補給扉はその下部を支点として揺動可能に設けられ、前記正面寄りに位置する前記側部ガイド板のガイド端は、下部から上部に至るにつれて前記正面から次第に離れる傾斜縁を有し、前記補給扉で前記開口部を閉塞した状態で、前記突起は前記傾斜縁よりも前記正面寄りに偏位した箇所に位置することを特徴とする。
請求項３記載の発明は、前記突起は、前記補給扉の揺動方向と交差する方向に延在する細長形状に形成されていることを特徴とする。
【発明の効果】
【０００６】
請求項１記載の発明によれば、左右の側板に、それら左右の側板に沿って起立した遊技媒体を側板から離間させる突起が設けられているので、開口部を全開状態とし、開口部から遊技媒体を補給したのち、補給扉を閉じようとする際、補給扉とガイド端との間に遊技媒体が挟まれようとしても、この遊技媒体は、突起により左右の側板から離間する。
したがって、補給扉を簡単に確実に閉じることができ、遊技媒体の補給作業を効率よく行うことが可能となる。
したがって、遊技媒体貸出機が遊技機に併設され、例えば１００台単位で遊技媒体貸出機が使用される遊技場において、遊技媒体の補給作業を簡単に確実に行なえ、作業員の負担を軽減する上で有利となる。
請求項２記載の発明によれば、ガイド溝により補給扉をがたつくことなく円滑に揺動させることができ、また、開口部の閉塞状態で筐体の正面における補給扉の横方向の位置決めを高い精度で行なえ、遊技媒体貸出機の意匠性を向上する上で有利となる。
請求項３記載の発明によれば、補給扉で開口部を閉塞する際、補給扉の支点から離れた如何なる箇所においても突起により遊技媒体を側板から離間させることが可能となり、補給扉を簡単に確実に閉じることができるので、請求項１の効果を高める上で有利となる。
【図面の簡単な説明】
【０００７】
【図１】（Ａ）は実施の形態に係る遊技媒体貸出機の正面図、（Ｂ）は実施の形態に係る遊技媒体貸出機の側面図である。
【図２】（Ａ）は開口部が補給扉で閉塞された状態を示す斜視図、（Ｂ）は開口部が開放された状態を示す斜視図である。
【図３】開口部から補給扉を取り外した遊技媒体貸出機の部分正面図である。
【図４】（Ａ）は底部ガイド板の平面図、（Ｂ）は底部ガイド板の正面図、（Ｃ）は底部ガイド板の側面図である。
【図５】（Ａ）は側部ガイド板の平面図、（Ｂ）は側部ガイド板の正面図、（Ｃ）は側部ガイド板の側面図である。
【図６】補給扉の筐体本体への取り付け構造を説明する分解斜視図である。
【図７】（Ａ）は補給扉の平面図、（Ｂ）は補給扉の背面図、（Ｃ）は補給扉の側面図である。
【図８】図７（Ｃ）のＸＸ線断面図である。
【図９】補給扉で開口部が閉塞された状態を示す側面断面図である。
【図１０】筐体本体の側板部を外した状態で補給扉を側面から見た図であり、（Ａ）は補給扉が閉じられた状態を示し、（Ｂ）は補給扉が開かれた状態を示す。
【図１１】（Ａ）はメダルが補給扉の側板に沿って起立した状態を示す斜視図、（Ｂ）は（Ａ）の側面図である。
【図１２】（Ａ）は補給扉が閉塞方向に揺動した状態を示す斜視図、（Ｂ）は（Ａ）の側面図である。
【図１３】（Ａ）は補給扉の突起によりメダルが側板から離間する状態を斜め上方から見た斜視図、（Ｂ）は（Ａ）の側面図、（Ｃ）は突起によりメダルが側板から離間された状態の説明図である。
【図１４】従来の遊技媒体貸出機において補給扉とガイド端との間にメダルが挟まれた状態を示す説明図である。
【発明を実施するための形態】
【０００８】
以下、本発明の実施の形態について添付図面を参照して説明する。
図１（Ａ）、（Ｂ）に示すように、遊技媒体貸出機１０は、遊技媒体を用いて遊技を行なう遊技機、例えば、スロットマシン等に併設される装置である。本実施の形態では、遊技媒体としてメダルを用いる場合について説明する。なお、遊技媒体は、メダルのような円板状の遊技媒体に限定されず、矩形板状、あるいは、多角形板状など、従来公知の様々な形状の遊技媒体が使用可能である。
遊技媒体貸出機１０は、筐体１２と、筐体本体１４と、ビルバリユニット１６と、制御部１８と、払い出しホッパ２０と、ノズルシュート２２と、ノズル２４と、計数遊技媒体受け皿２６と、受け皿用蓋２８と、計数ホッパ２１とを含んで構成されている。
【０００９】
筐体本体１４は、縦長直方体形状を呈し、底板１４０２と、底板１４０２の両側から起立する一対の側板１４０４と、側板１４０４の上端を接続する天板１４０６とを含んで中空状に構成されている。
筐体本体１４の正面側の開口である正面開口部１４１０は複数の正面板で閉塞され、背面側の開口である背面開口部は複数の背面板で閉塞され、これにより筐体１２が構成される。
筐体１２の内部には、上から順番にビルバリユニット１６、制御部１８、払い出しホッパ２０、計数ホッパ２１が収納されている。
複数の正面板は、ビルバリユニット用正面板１６Ａ、制御部側正面板１８Ａ、補給扉３０、下部正面板３２を含んで構成されている。
【００１０】
ビルバリユニット１６は、遊技者が投入する貨幣を識別するものであり、正面開口部１４１０のうちビルバリユニット１６の正面側はビルバリユニット用正面板１６Ａで閉塞され、ビルバリユニット用正面板１６Ａには、貨幣を投入する貨幣投入口１６０２が設けられている。
制御部１８は、遊技媒体貸出機１０の各種制御を行なうものである。
制御部１８は、正面開口部１４１０のうち制御部１８の正面側は制御部１８と一体に形成された制御部側正面板１８Ａで閉塞され、制御部側正面板１８Ａには、カード挿入口１８０２、タッチパネル式モニタ１８０４が設けられている。
カード挿入口１８０２には、遊技者の情報が記録されたカードが挿入され、制御部１８によってカードの情報の読み取り、書き込みがなされる。
タッチパネル式モニタ１８０４には、払い出したメダル数、獲得したメダル数などの遊技者の遊技状況が制御部１８によって表示される。
【００１１】
ノズルシュート２２は、払い出しホッパ２０から払い出されたメダルを受け入れてノズル２４に導く部分であり、ノズルシュート２２は、下部正面板３２に一体に形成されている。
ノズル２４は、ノズルシュート２２から導かれたメダルを遊技機の下皿（不図示）に導くものであり、ノズルシュート２２に揺動可能に結合されたノズル本体２４０２と、ノズル本体２４０２の先端に設けられたノズルトップ２４０４とを含んで構成される。
【００１２】
正面開口部１４１０の下部には下部正面板３２が着脱可能に取着されており、補給扉３０で閉塞される正面開口部１４１０の部分の下方から正面開口部１４１０の下端までが下部正面板３２で閉塞される。
計数ホッパ２１は、計数遊技媒体受け皿２６に投入されたメダルの枚数を計数するものであり、メダルの計数結果は制御部１８に伝達される。
下部正面板３２は、筐体１２の内部と反対に位置する正面３２０２を有し、この正面３２０２は筐体１２の正面を構成している。
計数遊技媒体受け皿２６は、下部正面板３２の正面３２０２でノズルシュート２２の上に設けられている。
【００１３】
図２（Ａ）、（Ｂ）、図３に示すように、制御部１８の下方には、メダル（円板状の遊技媒体）補給用の開口部３４が設けられ、開口部３４は、補給扉３０で開閉される。
制御部側正面板１８Ａの下方の正面開口部１４１０には、縦長の矩形状を呈する開口部３４が開設されている。開口部３４は、払い出しホッパ２０にメダルを補充する部分である。
【００１４】
図３、図９に示すように、筐体本体１４の内部には、開口部３４の下部から筐体本体１４の内部に延在する底部ガイド板３６と、開口部３４の左右側部から筐体本体１４の内部に延在する側部ガイド板３８とが設けられ、開口部３４から投入されたメダルがそれらガイド板３６、３８により払い出しホッパ２０に導かれる。
図４（Ａ）、（Ｂ）、（Ｃ）に示すように、底部ガイド板３６は、メダルを導くガイド板本体３６０２と、ガイド板本体３６０２の両側に設けられた取り付け片３６０４とを有し、それら取り付け片３６０４がねじを介して筐体本体１４の内部のねじ孔に取着されることで底部ガイド板３６は配設されている。
この底部ガイド板３６は、メダルを払い出しホッパ２０に導くガイドとしての機能と、開口部３４からメダルが大量に補給された際、払い出しホッパ２０にかかるメダルの重量を軽減する減圧板としても機能する。
【００１５】
図５（Ａ）、（Ｂ）、（Ｃ）に示すように、側部ガイド板３８は、メダルを導くガイド板本体３８０２と、ガイド板本体３８０２の複数箇所から突設された取り付け片３８０４とを有し、それら取り付け片３８０４がねじを介して筐体本体１４の側板１４０４のねじ孔に取着されることで側部ガイド板３８は配設されている。
図３に示すように、側部ガイド板３８と側板１４０４との間に後述する補給扉３０の左右の側板４６を収容・案内するガイド溝４０が形成され、側部ガイド板３８と筐体１４の側板１４０４とにより、左右の側板４６を収容・案内する。
図９に示すように、正面寄りに位置する側部ガイド板３８のガイド端４２は、下部から上部に至るにつれて正面から次第に離れる傾斜縁４２０２を有している。
【００１６】
図６、図７（Ａ）、（Ｂ）、（Ｃ）に示すように、補給扉３０は、開口部３４を閉塞した状態で、筐体１２の正面を構成する正面板４４と、正面板４４の左右両側から筐体本体１４の内部に向けて突設された左右の側板４６とを有している。
図６、図９に示すように、正面板４４は、開口部３４を閉塞した状態で最も外側に位置する化粧板４４０２と、化粧板４４０２の背面にねじで取着される正面板本体４４０４とで構成されている。
図６、図７（Ａ）、（Ｂ）、（Ｃ）に示すように、化粧板４４０２の上部と正面板本体４４０４の上部とにわたり孔４８が貫通形成され、この孔４８にキーにより操作されるキーシリンダ５０が取着され、また、キーシリンダ５０の出力軸にはキーシリンダ５０の操作により揺動するフック５００２が設けられている。
【００１７】
補給扉３０は、図１０（Ａ）に示すように、開口部３４を開放した全開状態と、図１０（Ｂ）に示すように、開口部３４を閉塞した閉塞状態との間で揺動する。
補給扉３０は、その下部を支点として揺動可能に設けられ、詳細には、補給扉３０の下部と底部ガイド板３６の前部とに取着されたヒンジ５２の支軸５２０６を中心に揺動可能に設けられている。
図１０（Ａ）に示すように、ヒンジ５２は、補給扉３０に取着された第１フランジ５２０２と、底部ガイド板３６に取着される第２フランジ５２０４と、それら第１、第２フランジ５２０２、５２０４により支持された支軸５２０６とを含んで構成されている。
図６に示すように、第１フランジ５２０２は、正面板本体４４０４の下部のヒンジ取り付け部４４１０にねじおよび取り付け孔４４１０Ａを介して取着され、第２フランジ５２０４は、底部ガイド板３６の前部のヒンジ取り付け部３６１０にねじおよび取り付け孔３６１０Ａを介して取着される。
正面板本体４４０４と、左右の側板４６とは、一体成形することができる。
【００１８】
左右の側板４６は、ガイド端４２からガイド溝４０の内部に滑動可能に挿入され、左右の側板４６の後端には、ヒンジ５２の支軸５２０６に対して放射方向に突出する係止突起４６０２が設けられている。
図１０（Ｂ）に示すように、係止突起４６０２が、筐体本体１４の側板１４０４に取着されたストッパ１４２０に当接することで、補給扉３０は開口部３４の全開状態で係止される。
また、正面板本体４４０４が、開口部３４の上縁を構成する係止片１４２２（図３参照）および制御部側正面板１８Ａから垂設された引き出し用の把手１８１０（図３参照）に当接することで、開口部３４は全閉状態となる。
また、専用のキーをキー孔３０１０（図６参照）に差し込み、フック５００２（図７（Ｂ）、（Ｃ）参照）を回動させて係止片１４２２に係脱させることで補給扉３０の閉塞状態のロック、ロック解除がなされる。
【００１９】
図７（Ａ）、（Ｂ）、（Ｃ）に示すように、左右の側板４６には、それら左右の側板４６に沿って起立したメダル（遊技媒体）を、側板４６から傾倒させて離間させる突起５４が設けられている。
図８に示すように、突起５４は例えばプレス加工で形成され、突起５４が側板４６から立ち上がる箇所は、ゆるやかな傾斜で形成されている。この傾斜は、例えば、３０度以下であり、本実施の形態では、曲面状に側板４６から起立している。
また、突起５４が側板４６に設けられる箇所は、図９に示すように、補給扉３０で開口部３４を閉塞した状態で、突起５４は傾斜縁４２０２よりも正面寄りに偏位した箇所である。
また、突起５４は、補給扉３０の揺動方向と交差する方向に延在する細長形状に形成すると良い。
【００２０】
本実施の形態によれば、次のような作用効果が奏される。
左右の側板４６には、それら左右の側板４６に沿って起立したメダルＭを側板４６から離間させる突起５４が設けられているので、図１１（Ａ）、（Ｂ）に示すように、開口部３４を全開状態とし、開口部３４から払い出しホッパ２０にメダルＭを補給したのち、図１２（Ａ）、（Ｂ）に示すように、補給扉３０を閉じようとする際、正面板本体４４０４とガイド端４２との間にメダルＭが挟まれようとしても、このメダルＭは、図１３（Ａ）、（Ｂ）、（Ｃ）に示すように、突起５４により左右の側板４６から離間する。
したがって、補給扉３０を簡単に確実に閉じることができ、払い出しホッパ２０へのメダルＭの補給作業を効率よく行うことが可能となる。
したがって、遊技媒体貸出機１０が遊技機に併設され、例えば１００台単位で遊技媒体貸出機１０が使用される遊技場において、払い出しホッパ２０へのメダルＭの補給作業を簡単に確実に行なえ、作業員の負担を軽減する上で有利となる。
【００２１】
また、突起５４は、補給扉３０で開口部３４を閉塞した状態で、傾斜縁４２０２よりも正面寄りに偏位した箇所に設けられ、突起５４をガイド溝４０に挿入させないようにしている。
補給扉３０で開口部３４を閉塞した状態で、突起５４をガイド溝４０に挿入させるようにしてもよいが、本実施の形態のように突起５４をガイド溝４０に挿入させないようにすると、ガイド溝４０を側板４６の厚さに対応した幅寸法で形成できる。これにより、側部ガイド板３８と側板４６との隙間を狭くして、ガイド溝４０内にメダルが挟まる不具合を防止することができる。
【００２２】
上述したように、突起５４は、補給扉３０の揺動方向と交差する方向に延在する細長形状に形成することができる。
これにより、補給扉３０で開口部３４を閉塞する際、支軸５２０６の直径方向において支軸５２０６から離れた如何なる箇所においても突起５４によりメダルＭを側板４６から離間させることが可能となり、補給扉３０を簡単に確実に閉じることができる。
【００２３】
本実施の形態では、図８に示すように、突起５４が側板４６から立ち上がる箇所は、ゆるやかな傾斜で形成されている。
そのため、補給扉３０で開口部３４を閉塞する際、突起５４によりメダルＭを側板４６から円滑にかつ確実に離間させることが可能となり、補給扉３０を簡単に確実に閉じることができる。
したがって、１００台単位で遊技媒体貸出機１０が使用される遊技場において、払い出しホッパ２０へのメダルＭの補給作業を簡単に確実に行なえ、作業員の負担を軽減する上で有利となる。
【００２４】
なお、本実施の形態では、突起５４を細長形状に形成した場合について説明したが、突起５４は、例えば、球冠状の突起５４を複数並べて設けてもよく、左右の側板４６に沿って起立したメダルＭを側板４６から離間させることができる形状であれば、突起５４の形状は限定されず、従来公知のさまざまな形状が採用可能である。
突起５４は、凸状の部品を側板４６に取り付けることにより形成することもできる。
【符号の説明】
【００２５】
１０  遊技媒体貸出機
１２  筐体
１４  筐体本体
２０  払い出しホッパ
３０  補給扉
３４  開口部
３８  側部ガイド板
４０  ガイド溝
４２  ガイド端
４２０２  傾斜縁
５２０６  支軸
５４  突起
Ｍ  メダル（円板状の遊技媒体）
【図１】
2018029685.tif 000003
【図２】
2018029685.tif 000004
【図３】
2018029685.tif 000005
【図４】
2018029685.tif 000006
【図５】
2018029685.tif 000007
【図６】
2018029685.tif 000008
【図７】
2018029685.tif 000009
【図８】
2018029685.tif 000010
【図９】
2018029685.tif 000011
【図１０】
2018029685.tif 000012
【図１１】
2018029685.tif 000013
【図１２】
2018029685.tif 000014
【図１３】
2018029685.tif 000015
【図１４】
2018029685.tif 000016